(57)【要約】  本発明は、シリンダー（１００）を取り扱いそして輸送するための容器（１０）、例えば、シリンダー及び反対側外底を支持するための支持底（４２）及びｘ−方向にシリンダーを支持するための側壁（２０）並びにｙ−方向にシリンダーを支持するための側壁（３０）、シリンダーを支持するための支持側を有する側壁（２０、３０）及び反対の外側を有する、ｚ−方向にシリンダーを支持するための底壁（４０）を含んでなるガラスシリンダーに関する。容器は更に、容器中に配置されるとき、該シリンダー（１００）の完全秩序を分配するための幾何学的手段（５０）を含む。【選択図】  図２ｂ
2013525225.tif 000002
【特許請求の範囲】
【請求項１】
ｚ−方向に品目（１００）を支持するための底部構造（４０）；
ｘ−方向に品目（１００）を支持するための少なくとも第１の側壁セクション（２０）；及び
ｙ−方向に品目（１００）を支持するための少なくとも第２の側壁セクション（３０）；並びに
容器（１０）中に配置されたとき品目（１００）の完全秩序を乱すように適合される幾何学的手段（５０）、
を含んでなる、品目（１００）を取り扱いそして輸送するための容器（１０）。
【請求項２】
幾何学的手段（５０）が、第１及び／又は第２の側壁セクション（２０、３０）の内向き支持側（２２、３２）に位置し、そして／又は底部構造（４２）上に位置することを特徴とする、請求項１に記載の容器（１０）。
【請求項３】
幾何学的手段（５０）が、底壁（４０）の支持底（４２）からｚ−方向に伸びていることを特徴とする、請求項１又は２に記載の容器（１０）。
【請求項４】
幾何学的手段（５０）が、底部構造（４０）から立ち上がる少なくとも１つの突起部（７０；８０）を含むことを特徴とする、請求項１〜３のいずれか１項に記載の容器。
【請求項５】
突起部（７０、８０）が、平坦支持面（７２；８２）を含んでなる長方形又は楕円形の隆起ソケット部分を含む、請求項４に記載の容器。
【請求項６】
突起部（７０；８０）が、底部構造（４２）の内部を向いている面を横断して規則的に配置される、請求項４又は５に記載の容器。
【請求項７】
突起部（８０）が、底部構造（４２）の平面に対して３０°と９０°間の角度、好ましくは４５°と６０°間の角度で広がる少なくとも１つの斜角側面（７１；８４）を含む、請求項４〜６のいずれか１項に記載の容器。
【請求項８】
第１及び／又は第２の側壁セクション（ｘ、ｙ）に沿って近接している突起部（７０；８０）間の間隔が、これらの方向において突起部（７０、８０）の側方延長部よりも大きい、請求項４〜７のいずれか１項に記載の容器。
【請求項９】
突起部（７０；８０）が、底部構造（４２）の全内向き面をカバーするように適合されるマット構造（７８；８８）により一体的に形成される、請求項４〜８のいずれか１項に記載の容器。
【請求項１０】
幾何学的手段（５０）が、少なくとも部分的に剛性材料のものであることを特徴とする、請求項１〜９のいずれか１項に記載の容器（１０）。
【請求項１１】
幾何学的手段（５０）が、少なくとも部分的に弾性材料のものであることを特徴とする、請求項１〜１０のいずれか１項に記載の容器（１０）。
【請求項１２】
幾何学的手段（５０）が、第１及び第２の側壁セクション（２０、３０）の連結によって画成される少なくともコーナーエリアにおいてシリンダーアレイの完全秩序を乱すように容器（１０）内に構成されそして位置する、請求項１〜１１のいずれか１項に記載の容器（１０）。
【請求項１３】
幾何学的手段（５０）が、容器の部材に幾何学的手段（５０）をインタコネクトするための連結エレメント（５２）を含むことを特徴とする、請求項１〜１２のいずれか１項に記載の容器（１０）。
【請求項１４】
幾何学的手段（５０）が、撹乱羽根（５４）を含むことを特徴とする、請求項１〜１３のいずれか１項に記載の容器（１０）。
【請求項１５】
幾何学的手段（５０）が、保護レーン（５６）を含むことを特徴とする、請求項１〜１４のいずれか１項に記載の容器（１０）。
【請求項１６】
幾何学的手段（５０）が、砕波フレーム（５８）を含むことを特徴とする、請求項１〜１５のいずれか１項に記載の容器（１０）。
【請求項１７】
幾何学的手段（５０）が、ロング形の撹乱羽根（６０）を含むことを特徴とする、請求項１〜１６のいずれか１項に記載の容器（１０）。
【請求項１８】
幾何学的手段（５０）が、わん曲形の保護レーン（６２）を含むことを特徴とする、請求項１〜１７のいずれか１項に記載の容器（１０）。
【請求項１９】
第１及び／又は第２の側壁セクション（２０、３０）で、そして／又は少なくとも部分的に底部構造（４０）を横断して、配置されるショック吸収手段（６４）を更に含んでなる、請求項１〜１８のいずれか１項に記載の容器（１０）。
【請求項２０】
液状薬剤を充填した又は充填予定の管状形の多数のカートリッジアンプル又はカートリッジバイアルを受け、そして／又は運ぶように更に適合される、請求項１〜１９のいずれか１項に記載の容器（１０）。
【請求項２１】
請求項１〜２０の少なくとも１つの請求項の機能を備えた容器に使用するための幾何学的手段（５０）。
【発明の詳細な説明】
【技術分野】
【０００１】
本発明は、品目を取り扱いそして輸送するための容器、特に実質的に管状形のガラス体を含んでなる薬剤用容器又はベッセルに関する。複数のベッセル又はカートリッジ、いわゆるマストレー（mass tray）を取り扱いそして輸送するための公知の容器では、カートリッジはヘッドアップ充填される。アレイの形態でのシリンダー用カートリッジの充填は最適ではない。容器で取り扱いそして輸送するための品目の数を最大化するための密充填は、品目の本体が破砕及び破損に曝される可能性があることから問題がある。しかしながら、品目が１つの容器内に多く充填できればできるほど、品目の取り扱い、特に輸送の費用効率はより高くなり得る。
【０００２】
輸送コストは、商品の重量と比べた、商品の容積で算出される。従って、品目の最密アレイは輸送品目当りの輸送コストの低下をもたらす。しかしながら、公知の容器の１つの問題は、輸送中に容器に対する振動又は機械的衝撃が品目の品質に影響を及ぼし、特にヘアラインクラックのような破損又は損傷に至る可能性があるという事実である。最密アレイは、特に完全な例えば六角形秩序（hexagonal order）において、通常は、異なるシリンダー間の関係に関して蜂の巣の形態である。
【０００３】
従って本明細書において輸送される品目を保護するのに資する改良容器を提供することが本発明の目的である。更に、本発明は、高い充填密度を維持しながら、その取り扱い及び輸送中に破砕及び／又は破損品目の数を減少させることを目的としている。
【０００４】
従って本発明は、独立クレーム１による容器並びに請求項２１に記載のその中に入れられる幾何学的手段を提供する。
【発明の概要】
【発明が解決しようとする課題】
【０００５】
本発明による容器は、液状薬剤を充填し又は充填する予定の管状カートリッジの形態で通常提供される、品目を取り扱いそして輸送するために設計される。容器は、ｚ−方向にシリンダーを支持するための底壁のような底部構造を含む。底部構造はシリンダー及び反対側外底を支持するための内面支持底を有する。更に、容器は、ｙ−方向のようにｘ−方向に品目を支持する少なくとも第１及び第２の側壁セクションを含む。従って、側壁セクションは、品目に面してそして更に反対側及び外側を含んでなる内面支持側を含む。容器は更に、配置したとき、即ち容器中に密充填したとき、品目の完全秩序を乱すための幾何学的手段を含む。
【０００６】
本発明によれば、コーディネートシステムは側壁セクションの異なる配向を画成するために使用される。それ故、第１の側壁セクションは実質的にｙ−方向に伸びて、そして第２の側壁セクションは実質的にｘ−方向に伸びる。通常、第１及び第２の側壁セクションは互いに対して実質的に直交に配置され、ここでは、第１及び第２の側壁セクションは容器の底壁から実質的に垂直に伸びる。また、底部構造又は底壁は第１及び第２の側壁セクションの両方の延長に対して垂直に伸びる。当該コーディネートシステムは図に示され、そして容器の底壁によって画成されるｘ−方向及びｙ−方向を有する。
【０００７】
しかしながら、側壁セクション及び底部構造も、互いに対して異なる角度で伸びる。それ故、容器は次いで菱形構造を特色とし得る。
【０００８】
本発明では、一方ではガラスシリンダー及び他方では当該品目のアレイのような特異な品目が区別される。品目のアレイは一般的にあらゆる種類の順序において多数の品目の蓄積である。例えば管状品目のアレイは、底部構造上で平面軸方向端面によって位置付けることができ、一方で隣接してそして規則的に配置された管状品目の側壁は互いに接して、そして蜂の巣若しくは六角形の又は六角形の最密、それ故、完全充填で配置される。
【０００９】
品目を支持するために、容器は側壁及び底壁を有する。当該壁はすべて互いに垂直であり得て、しかしそうである必要はない。また例えば三角形の容器にする側壁の変動は、本発明の範囲内で可能である。充填又は包装の工程中、品目は容器中に置かれる。当該プレーシングは単一品目又は一度に１０ピースなどの小型パッケージ品目を取り扱うことにより行うことができる。品目のより良いプレーシングのために、容器、特にその底壁は水平方向に対して若干旋回することができる。当該旋回配向を介して、重力によって駆動する容器中に位置するシリンダーは、容器内の最深可能点まで傾斜底壁及び／又は側壁に沿って自動的に配置する。そのように、この包装はねじれたアレイで自動的に管状品目の最密充填をもたらす。当該最密充填は本明細書において品目の「完全秩序」とも呼ばれる。当該完全秩序は容器内で充填される品目の最大数を有することを可能にする。
【００１０】
当該最密充填が輸送及び保存スペース並びに輸送コストの点で有利に見えるとしても、当該配置は不可避な機械的衝撃をかなり受けやすい。破壊しやすい又はガラス製品目は互いに隣接する構成で配置されることから、いずれの機械的ショック又は衝撃も品目のアレイを通して伝播し得て、そして最終的に当該品目の破砕又は破損を引き起こし得る。
【００１１】
従って、発明の容器は、ガラスシリンダーがそれら自体を完全秩序に順序付けすることを防止する幾何学的手段を含む。幾何学的手段は容器中の品目の規則的そして完全配置を妨げるように適合される。それ故、幾何学的手段は品目のアレイの幾何学的無秩序を誘導するのに資する。一般的に言えば、幾何学的手段により、その中に保存する予定の品目のサイズと形状に対する輸送量の対称性は破壊することができる。また、操作者によって操作された完全秩序へのシリンダーの順序は回避される。更に、取扱及び輸送工程中でも、幾何学的手段は品目が完全秩序への容器の振とう又は振動することによって戻ることを防止する。
【００１２】
従って、品目の完全秩序を乱すための幾何学的手段を備えた発明の容器を用いることにより、容器の外側からの振動の、機械的衝撃又はインパルスの品目間伝達及び機械的伝播は減少し得る。幾何学的手段はシリンダーアレイ全体にわたって、しかし少なくとも振動又はインパルスの入来又は蓄積に最も適した場所としての容器のエリアにおいて完全秩序を乱す必要がないことは留意すべきである。
【課題を解決するための手段】
【００１３】
実施態様によれば、容器は少なくとも１つの側壁セクションの内向き支持側に幾何学的手段を含んでよい。更に、幾何学的手段は支持構造の上又は中に位置してよく、それ故に底壁の上又は中に位置してよい。当該の異なる可能な位置は容器を様々な種類に、特に取り扱いそして輸送すべきシリンダーの幾何学的形又はサイズに適合するように使用することができる。例えば、品目のアレイ内の完全秩序を乱すための底部構造で幾何学的手段の特別の形状有することは有用であり得る。それぞれの特定のニーズによって、幾何学的手段は支持側並びに支持構造で異なる位置を含むことができる、異なるエレメントを有することができることは留意する必要がある。
【００１４】
幾つかの特定の状況では、幾何学的手段が支持底だけに位置する場合、それは有利となり得る。そのような場合に、幾何学的手段が支持側に位置しないとき、幾何学的手段が容器中に保存することができるシリンダーの数を減らさないことは有利となる。当該実施態様は本発明を利用するが、しかし輸送コストに関して容器の有用性に影響を与えない。
【００１５】
幾何学的手段の位置の１つの更なる選択肢は、幾何学的手段が底壁の支持底からｚ−方向に伸びることである。そのように、幾何学的手段は、側壁から離れて、即ち容器の中央又は他の任意のエリアにおいて自由に間隔を置いて位置することができる。特に、複雑な種類の品目では、又は異なる種類の品目の取扱及び輸送では、このような異なるサイズ又は形状のシリンダーが１つ又は同じ容器内にある。幾何学的手段の位置は最大の可撓性を提供し得る。そのように、品目の完全秩序はまた側壁から間隔を置いて配置される容器のエリアで乱すことができる。
【００１６】
更なる好ましい実施態様では、幾何学的手段は底部構造から生じる突起部又は突起構造を含む。突起部はそれら自体平面形状ソケットを含んでよく、しかしピン又はスタッド（stud）としても設計され得る。好ましくは、突起部はチェス盤様パターンで配置される。次いで突起部は、規則的にそして代わりに第１及び第２の側壁セクションに沿って、それ故ｘ−及びｙ−方向に配置される。
【００１７】
好ましくは、底部構造に平行の突起部の表面はその上に配置される品目の直径よりも大きい。このように、ガラスシリンダーのような品目は当該突起部上又はそれらの間の隙間に配置することができる。突起部のｘ−及びｙ−方向における側面サイズはその上に置かれる品目の直径又は円周より大きいので、幾何学的無秩序が品目のアレイに誘導され得る。
【００１８】
好ましくは、突起部は、その上端部に平坦支持面を有する長方形、楕円形又は円形状の隆起ソケット部分を含む。更に、突起部の隆起及び高さはむしろ小さく維持することができる。それは１ｍｍと５ｍｍの間で、好ましくは２ｍｍと４ｍｍの間で変動してよい。平坦及び平面支持体の隆起は、ｘ−か又はｙ−方向においてそれらの側方範囲よりも１０〜５０倍小さくてよい。
【００１９】
突起部は更に、容器の底部構造の全内向き面を横断して規則的に又は不規則に配置され得る。規則的にチェスボード様配置突起部によってさえも、その上に配置される予定の品目の密充填アレイの対称性は破壊され得る。
【００２０】
突起部が、ｘ−及びｙ−方向によって画成される、底部構造の平面に対して３０°と９０°間、好ましくは４５°と６０°間の角度に伸び得る少なくとも１つの斜角側面を含むとき、それは更に特に有利である。更に、平面支持体は底部構造に平行に伸びてよく、しかしまた底部構造の平面に対して例えば１°〜５°傾斜してもよい。斜角側面を有することにより、傾斜モーメント又はトルクは、その上に位置する品目に誘導することができる。加えて、品目が容器中に自動的に配列されるとき、斜角面はｘ−及び／又はｙ−方向に沿って隣接して配置された品目を分離するのに十分であり得る。
【００２１】
品目のアレイへ幾何学的不規則性の導入は角度に因るものとはいえず、斜角側面は底部構造に対して伸びて、しかしまた当該側面の側方範囲に従属してよい。
【００２２】
別の実施態様によれば、第１及び／又は第２の側壁セクションに沿って近接している突起部間の間隔は、これらの方向に沿った該セクションのそれぞれの範囲よりも大きい。このように、ソケットを突起する長方形状のコーナーは互いから所定の間隔だけ隔てられている。近接している突起部間の間隔はｘ−又はｙ−方向の間隔として画成され得て、近接している突起部の、隣接して位置するエッジ部分は互いに分離されている。
【００２３】
突起部が容器の底部構造の全内向き面をカバーするように更に適合される周囲のマット構造により一体的に形成されるとき、それは更に有利である。このように、既存の容器さえ、マット構造を容器の底部構造上に単に置くことにより幾何学的無秩序手段で改造することができる。マット構造は例えば天然又は合成ゴムの可撓性材料を含んでよい。更に、マット構造はポリエチレン、ポリプロピレン等の熱可塑性プラスチック材料を含んでよい。
【００２４】
本発明によれば、幾何学的手段が少なくとも部分的に剛性材料から成る容器を有することも可能である。表現「剛性材料」は少しだけ弾性特性を備えた材料と理解すべきである。当該材料は金属又はプラスチック材料、例えば熱可塑性プラスチック材料から選ばれ得る。剛性材料の使用は、品目それ自体並びに幾何学的手段によって乱れされた秩序の品目のアレイの安定性を確保する。更に、剛性材料としての熱可塑性プラスチックの使用は、幾何学的手段の容易なそして費用効率の高い製作を可能にする。容器がまた熱可塑性プラスチックからできている場合、容器は、射出成形法を用いることにより幾何学的手段と併せて一体的に製作し得る。
【００２５】
本発明によれば、容器が少なくとも部分的に弾性材料でできている幾何学的手段を有する場合、それもまた可能である。当該弾性材料は例えばフォーム、ネオプレン又はゴムであってよい。弾性材料の使用は、容器が曝されるインパルス又は振動を弱めることができるという更なる利点をもたらす。例えば当該減衰効果に因り、シリンダーの破損又は損傷の統計数に対して同じ又は更に良い効果を尚達成しながら、容器中又は上に減少した数の幾何学的手段を配置することで十分となり得る。当該弾性材料はまた剛性材料部材と組み合わせることも可能である。そのように、例えば容器の底壁又は側壁を備えた幾何学的手段の連結部材は剛性材料で作ることができ、一方でシリンダーに接触している幾何学的手段の部分は弾性材料から作ることができる。
【００２６】
また、幾何学的手段は弾性カバーを備えた剛性基材の特定のカバレージを含む。しかし、破砕又は破損のようなシリンダー欠陥の統計数を減少させる発明の効果は、容器中の品目の他の設定完全秩序をなくすのに資する、幾何学的撹乱手段の位置及び形状によって主として達成されることは留意する必要がある。弾性材料又は弾性材料でできた部材の可能な減衰効果は、幾何学的手段の撹乱効果よりも弱い効果でただ付加的である。
【００２７】
発明の容器では、幾何学的手段は、側壁の連結により画成される少なくともコーナーエリアにおいて品目アレイの完全秩序を乱すために、容器内に構成及び位置することができる。驚くべきことに、容器での品目の輸送後、ガラスシリンダー又はカートリッジのような品目の大部分の欠陥は容器のコーナー又は壁エリア中又は近くで起こることが見出されている。従って、シリンダーの欠陥の統計数の効果的な減少には、幾何学的手段は特に当該脆弱エリアに位置する。別の実施態様による容器はまた、当該幾何学的手段を容器の部材に連結するための連結エレメントを含む幾何学的手段をも含む。好ましくは、幾何学的手段は容器の対応する部材、例えば、その側壁又は底部セクションで確実にロックすることができる。特に、幾何学的秩序撹乱手段は側壁及び／又は底壁にクリックすることができる。それぞれの連結エレメントは、例えば幾何学的手段をそれぞれ側壁又は底壁の対応キャビティへクリックするために使用することができる、ピン又はクリックとして構成することができる。当該連結エレメントを用いることにより、幾何学的手段は容器から取り外すことができる。それ故、相互連結は解除可能タイプから成る。
【００２８】
そのように、幾何学的手段の全体は、例えば空の容器がネスト化（nested）及びスタッガー化（staggered）式に配置される予定のときに、基本的に容器から取り外すことができる。
【００２９】
更に、取り外し可能な幾何学的手段を用いることにより、当該幾何学的手段の異なる構成は、同じ容器内でそして同じ幾何学的手段によって実現することができる。従って、またそれらの直径について異なるサイズ品目は、発明のアイディアを利用することにより、そして異なる構成を備えた１つ及び同じ発明の容器を用いることにより輸送することができる。
【００３０】
本発明に記載の構成の１つの可能性は幾何学的手段が撹乱羽根を含む容器である。当該実施態様によれば、多重羽根は容器の支持底全体にわたって位置し、ｚ−方向に伸びている。羽根は品目のアレイ内に滑らかにはめ合うように楕円外形を備えて構成される。当該撹乱羽根に因り、品目はショック衝撃を動的エネルギーに変換するのに十分なスペースを有する。
【００３１】
本発明による構成の更なる可能性は、幾何学的手段が保護レーン又はそれぞれの溝を含む容器である。当該保護レーンは少なくとも部分的に支持底に位置し、ｚ−方向に面する。保護レーンは、異なる幅又は異なる深度から成ってよく、例えば幅はその上におかれる予定の品目の範囲又は直径と同じ幅であってよい。更に、容器側壁に隣接するレーンは、品目の直径の外の寸法より幅が広くてよい。品目がショック衝撃を運動エネルギーに変換するのに十分なスペースを有するのは、当該保護レーンに因るといえる。更にそのように、品目それら自体は、例えばガラスシリンダーの形態で異なる高さ及び異なるスペーシングに位置し、そして例えばシリンダーのいずれかのエッジにおいて突出融解リングでは互いに接触しない。
【００３２】
また幾つかのシリンダーはそれらが保護レーンの上部の１つにおいて１部だけが立っているという事実に因り、ｚ−方向に対して曲がっているということも起こり得る。シリンダーアレイにおいて完全秩序の当該の異なる操作により、シリンダーの欠陥の統計数値は減少することができる。
【００３３】
幾何学的手段が砕波フレームを含むことは発明の容器でも可能である。当該砕波フレームは少なくとも１つの支持側に、好ましくは３つ又は４つの支持側に位置する。例えば、この破壊フレームは頻繁に変わる種々の幅を備えた外形を有する。当該幾何学的手段を用いることにより、容器のコーナー及び側壁のエリアは撹乱完全秩序を備えたシリンダーアレイの特定のエリアにある。そのように、例えば、支持側からｘ−又はｙ−方向に見られるシリンダーアレイの７列まで乱すことが可能である。
【００３４】
発明の容器における幾何学的手段に対する更なる代替は、幾何学的手段がロング形の撹乱羽根を含むことであってよい。当該羽根の使用は上記の撹乱羽根の使用に類似している。しかしながら、長い撹乱羽根のシリンダーアレイに対する効果は、少ない更なる部材を備えた幾何学的手段の有効面積に応じて増加することができる。当該の長い撹乱羽根は、シリンダーアレイを異なるそしてとりわけ分離秩序の異なるセクションに分けるように保持される。当該ロング形の撹乱羽根に因り、機械的衝撃及びショック又は線形運動量は１つの当該セクション内にだけ伝達することができる。
【００３５】
ｚ−方向に最小伸長した容器の支持底に位置する幾何学的手段による１つの更なる実施態様は、わん曲形の保護レーンの使用である。当該わん曲形の保護レーンは通常の保護レーンと比べて類似の機能性を有する。しかしながら、曲線構造に因り、シリンダーアレイの完全秩序を乱すのに少ない保護レーンしか必要としない。当該わん曲形の保護レーンはまた、容器当りのシリンダーの数を減少させない。また２つのレーンまでの減少は、レーンが特に側壁間のコーナー近くの端部でそれらの曲線を含むという事実に因り行うことができる。そのように、例えば主としてｘ−方向における２つのわん曲形の保護レーンは一般的にシリンダーアレイの完全秩序を乱すのに十分である。
【００３６】
幾何学的手段に加えて、容器は例えばフォーム保護エレメントの形態で更にショック吸収手段を含んでよい。可塑性及び／又は弾性変形可能なそれぞれのエレメントは、外部適用機械衝撃を吸収するために、好ましくは内面側壁セクションに配置される。当該保護エレメントは減衰効果をシリンダーアレイへもたらし得る。
【００３７】
１つの実施態様では、本発明の容器で取り扱い又は輸送される品目又はシリンダーは機械的ストレス下に破砕又は破損の影響を受けやすい材料を含む。例えば、シリンダーはガラスを含み又はまさにそれから成る。シリンダーは好ましくは実質的に円筒断面を有する。例えば、品目は管、バイアル、アンプル、カープル（carpoule）、又はカートリッジとして設計され得る。好ましくは、同じ断面の容器中のすべてのシリンダーは、同じ材料から構成される。１つの実施態様では、シリンダーは、ガラスカートリッジ又はガラスカープルなどのガラスシリンダーである。
【００３８】
また本発明の部材は、上記の機能の１つ又はあらゆる組み合わせを備えた発明の容器で使用するための幾何学的手段である。
【００３９】
本発明は図についてより詳細に記載される：
【図面の簡単な説明】
【００４０】
【図１ａ】完全秩序におけるシリンダーアレイの上部図を示す。
【図１ｂ】撹乱した完全秩序での図１の上部図を示す。
【図２ａ】本発明の第１の実施態様の上部図を示す。
【図２ｂ】図２ａに示される実施態様の側面図を示す。
【図３ａ】本発明の更なる実施態様の上部図を示す。
【図３ｂ】図３ａに示される実施態様の側面図を示す。
【図４ａ】本発明の更なる実施態様の上部図を示す。
【図４ｂ】図４ａに示される実施態様の側面図を示す。
【図５ａ】本発明の更なる実施態様の上部図を示す。
【図５ｂ】図５ａに示される実施態様の側面図を示す。
【図６ａ】本発明の更なる実施態様の上部図を示す。
【図６ｂ】図６ａに示される実施態様の側面図を示す。
【図７ａ】本発明の更なる実施態様の上部図を示す。
【図７ｂ】図７ａに示される実施態様の側面図を示す。
【図８】本発明の更なる実施態様の側面図を示す。
【図９】チェス盤構造を特色とする別の実施態様の上面図を示す。
【図１０】図９による実施態様の拡大図を示す。
【図１１】斜角又は傾斜側面を特色とする平面支持構造を備えた別の実施態様を示す。
【図１２】断面Ａ−Ａに沿った図９による実施態様を示す。
【図１３】断面Ｂ−Ｂに沿った図１１による実施態様を示す。
【図１４】その上に置かれたカートリッジを備えた図１１及び１３による実施態様を示す。
【発明を実施するための形態】
【００４１】
図１は完全秩序においてガラスシリンダー１００を備えたシリンダーアレイを示す。本例では、シリンダーはガラスシリンダーである。単一ガラスシリンダー１００は一種の蜂の巣構造に秩序立てられている。言い換えれば、ガラスシリンダー１００は１つの側壁２０に平行に列を成して秩序立てられている。ガラスシリンダー１００の各列は、１つのガラスシリンダー１００の直径の半分だけｙ−方向において隣接列に変位している。ｘ−方向において、各単一ガラスシリンダーが隣接列の各々の２つのガラスシリンダーと接触するように、ガラスシリンダー１００の列は互いの方へ動く。
【００４２】
図１に示されるガラスシリンダー１００の秩序は、完全秩序ガラスシリンダーアレイと呼ばれる。当該完全秩序では、ガラスシリンダー１００の最大量が容器１０内に充填され得る。ガラスシリンダー１００は側壁２０によってｘ−方向にそして側壁３０によってｙ−方向に支持される。両側壁は支持側２２及び３２並びに反対の外側２４及び３４を有する。ガラスシリンダー１００の外側列はそれぞれの支持側２２及び３２とそれぞれ接触している。
【００４３】
図１ｂは、図１ａのガラスシリンダーアレイを示すが、しかし完全秩序の乱れが見られる。アレイの完全秩序は側壁２０及び３０から離れて間隔を置いて配置されるエリアに尚存在する。しかしながら、側壁２０及び３０の近くでは、ガラスシリンダー１００は完全秩序のそれらの位置から変位する。その結果、完全秩序は当該エリアで乱れる。当該完全秩序の撹乱は、下記に詳細に記載され得る幾何学的手段５０によって行われる。
【００４４】
図２ａ及び２ｂは本発明の第１の実施態様を示す。当該実施態様によれば、容器１０は、ｘ−方向に支持するための２つの側壁２０及びｙ−方向に支持するための２つの側壁３０を備えた長方形から成る。側壁２０及び３０は互いに垂直である。ｚ−方向に支持するために、容器１０は底壁４０を備える。底壁は、ガラスシリンダー１００と接触のための外底４４並びに支持底を有する。側壁２０及び３０はガラスシリンダー１００と接触のための支持側２２及び３２を有する。このように側壁及び底壁はガラスシリンダー１００を支持するためのキャビティを形成する。当該キャビティ内では、幾何学的手段５０はｘ−方向及び／又はｙ−方向に間隔を置いて配置され、そしてｚ−方向に伸びてよい。幾何学的手段５０は、支持底に連結される幾つかの撹乱羽根５４を含む。撹乱羽根５４は楕円形及び側壁２０及び３０と同じ高さから成る。当該撹乱エレメント５４は、容器１０内のガラスシリンダーアレイの規則的な撹乱を達成するために支持底４２の一面に広がっている。
【００４５】
図３ａ及び３ｂでは、本発明の更なる実施態様が示される。そこでは、幾何学的手段５０は保護レーン５６を含む。保護レーン５６は容器の支持底４２に沿ってｙ−方向に伸びる。勿論、ｘ−方向における配向はまた本発明の範囲内で可能であり得て、又はその他の方向も可能である。保護レーン５６は異なる高さ及び／又は異なる幅から成る。言い換えれば、保護レーン５６の寸法はｚ−方向及びｘ−方向について異なる。図３ａ及び３ｂに示される容器１０がガラスシリンダー１００で充填されるとき、ガラスシリンダー１００は保護レーン５６を介して支持底４２によって支持される。従って、ガラスシリンダーは保護レーン５６と直接接触している。直接接触はガラスシリンダー１００の異なる配向をもたらす。例えば、保護レーン５６内ではめ合うガラスシリンダーは、２つの保護レーン５６間に置かれるガラスシリンダー１００より低く置かれる。従って、保護レーン５６間のスペース及びｘ−方向及びｙ−方向の両方における保護レーン５６の寸法により、ガラスシリンダー１００間のスペースが画成され得る。そのフリースペースは、ガラスシリンダー１００が完全秩序においてアレイを形成することができない原因になる。
【００４６】
本発明の更なる実施態様が図４ａ及び４ｂに示される。そこでは、容器１０の幾何学的手段５０は砕波フレーム５８を含む。図４ａ及び４ｂの特定の実施態様では、３つの砕波フレームがあり、すべて側壁２０及び３０の支持壁２２及び３２に位置している。１つの側壁３０だけは砕波フレーム５８が備えられていない。砕波フレーム５８は、上記の保護レーン５６と同様にｘ−方向及びｙ−方向においてそれぞれ上部及び下部を有する。また保護レーン５６と同様に、当該の異なる部分はガラスシリンダー１００の案内につながり、そしてそれ故にガラスシリンダー１００のアレイの撹乱につながる。完全秩序は砕波フレーム５８の存在に因り築かれない。
【００４７】
図５ａ及び５ｂは本発明の更なる実施態様を示す。そこでは、幾何学的手段５０は長い撹乱羽根６０並びに中間又は標準サイズの撹乱羽根５４から組み合わされる。当該の異なるエレメントの組み合わせは、本発明の範囲内で異なるエレメントの組み合わせもまた幾何学的手段５０を形成することができることを示す。図５ａ及び５ｂの本実施態様では、長方形容器１０の中央部には、長い撹乱羽根６０が位置し、一方で容器１０のコーナーには、標準サイズの撹乱羽根５４が位置する。長い撹乱羽根６０の使用に因り、ガラスシリンダー１００のアレイは異なるセクションに分けることができる。各セクションは、振動及び／又はインパルスの伝達についてガラスシリンダーアレイの他のセクションから切り離される。図５ａ及び５ｂに図示されるように、長い撹乱羽根は通常のものより、少なくとも主要羽根の方向において３〜４倍大きくてよい。羽根の主要伸長に垂直な方向において、通常の羽根及び長い撹乱羽根は類似の材料強度及び厚みを特色と得る。
【００４８】
本発明の更なる実施態様は図６ａ及び６ｂに示される。そこでは、幾何学的手段５０はわん曲形の保護レーン６２として形成される。当該わん曲形の保護レーン６２は標準の保護レーン５６に類似しているが、しかし曲線形状に因り、わん曲形の保護レーン６２はガラスシリンダーアレイの完全秩序の効果的な撹乱にそれほど必要ではないという利点を有する。
【００４９】
また少なくとも１つの又は幾つかの保護エレメント６４の使用は発明の容器１０内で可能である。保護エレメント６４はプラスチック及び／又は弾性フォーム保護体６４を含んでよく、そして側壁セクション２０、３０及び／又は底部構造４０に配置されてよい。特に保護エレメントが内部向き又は上方向け突出部を含むとき、それらはまたカートリッジの規則的配置を乱す所望の効果を誘導し得る。可能な撹乱効果に加えて、プラスチックフォーム保護体６４は更に容器１０のシステムへ減衰効果を誘導する。特に特定の周波数の振動が容器にそしてその結果ガラスシリンダー１００のアレイにも導入される状況においては、プラスチックフォーム保護体の減衰効果は振動の振幅を減衰させることができる。減衰に加えて、ガラスシリンダー１００のアレイ内の完全秩序の乱れに因り、振動及び他の機械的励起の伝達及び伝播は減少又は遮断されることさえもできる。
【００５０】
図８は、幾何学的手段５０と容器１０間の連結の１つの可能性を示す。この図では、幾何学的手段５０は、図５ａ及び５ｂに対して既述のような長い撹乱羽根５８である。当該幾何学的手段５０は円筒ピンの形態での連結エレメント５２を有する。底壁４０の支持底４２内の円筒穴４６は連結エレメント５２のピンと対応している。幾何学的手段５０は容器１０内に置かれ、そして連結エレメント５２のピンはそれぞれの穴４６内に置かれる。穴４６は、容器１０内の幾何学的手段５０の配置を確実にするために、連結エレメント５２のそれぞれの部材にはめ込むスナップ機構を含むことができる。
【００５１】
図９〜１４は、幾何学的手段が底部構造４０から出ている規則的に配置された平面突起部７０を含む、更なる実施例を図示する。図９に見ることができように、底部構造４０は、チェス盤様パターンで配置される一連の長方形又は正方形状にそして均一に成形した突出セクション７０を含む。それ故に、隣接して位置した突起部７０は二者択一的にｘ−及びｙ−方向に配置される。図１０の拡大スケッチで図示されるように、正方形状の二者択一的に配置された平面突起部７０は、ｘ−方向において間隔７４によって並びにｙ−方向において事前に定義された間隔７６によって隔てられる。このように、隣接した列又は段の二者択一的に配置された平面突起部７０は、それらのコーナーと接しない。
【００５２】
図１２による断面説明図に図示されるように、平面突出部７０は、突出エレメント７０を相互に連結するマット構造７２により一体的に形成される。マット構造７８は従って突出部分７０及び平面形状の間にある表面部分７２を含む。図１２の断面図で更に図示されるように、突出幾何学的手段７０の側壁セクション７１はマット構造７８の平面に垂直に伸びる。
【００５３】
図１１、１３及び１４に図示される別の実施態様では、突起部８０は、斜角又は傾斜側面セクション８４を介してマット構造８８の間にある表面部分８６へと伸びている平坦支持面８２を含む。斜角又は傾斜側面セクション８４の角度αは３０°と９０°間で変わってよい。図１３のスケッチでは、角度αは約４５°である。
【００５４】
図１３では高さ８１が更に図示され、突起部８０の支持面８２は、マット構造８８の間にある下がった地表面部分８６から上がる。高さ８１は通常、ｘ−か又はｙ−方向において突出部８０の外側範囲よりも１０〜５０倍小さい。
【００５５】
図１２及び１３による断面図では、突出構造７０、８０はマット構造７８、８８の一部であり、容器１０の全底部構造又は底壁４０を横断して配置され得ることが更に図示される。
【００５６】
図１４において、その上に配列される品目１００のサイズに対して規則的に配列された突出部８０の外側範囲及び周期性が図示される。このスケッチから、平面突起部８０の形態での隆起構造物はその上に置かれる管状品目１００の直径よりも大きなサイズであることは明らかである。このように容器中の管状品目のアレイの対称性破壊配置は十分達成することができる。それ故、外部から加えられた機械的衝撃への潜在的な破壊的影響は十分減少させることができる。
【００５７】
本発明によれば、上記のすべての異なる種類の幾何学的手段５０は、例証として理解されるべきである。更に、当該幾何学的手段５０はガラスシリンダーアレイの完全秩序を撹乱するための異なるエレメントを含むことができる。
【００５８】
参照番号
１０   容器
２０   ｘ−方向に支持する側壁
２２   ｘ−方向に支持する側壁の支持側
２４   ｘ−方向に支持する側壁の外側
３０   ｙ−方向に支持する側壁
３２   ｙ−方向に支持する側壁の支持側
３４   ｙ−方向に支持する側壁の外側
４０   ｚ−方向に支持する底壁
４２   ｚ−方向に支持する底壁の支持底
４４   ｚ−方向に支持する底壁の外底
４６   受け入れ穴
５０   幾何学的手段
５２   連結エレメント
５４   撹乱羽根
５６   保護レーン
５８   砕波フレーム
６０   長い撹乱羽根
６２   わん曲形の保護レーン
６４   保護エレメント
７０   平面突起部
７１   側面
７２   地表面セクション
７４   間隔
７６   間隔
７８   マット構造
８０   平面突起部
８１   高さ
８２   支持面
８４   斜角側面
８６   地表面セクション
８８   マット構造
１００ シリンダー
【図１ａ】
2013525225.tif 000003
【図１ｂ】
2013525225.tif 000004
【図２ａ】
2013525225.tif 000005
【図２ｂ】
2013525225.tif 000006
【図３ａ】
2013525225.tif 000007
【図３ｂ】
2013525225.tif 000008
【図４ａ】
2013525225.tif 000009
【図４ｂ】
2013525225.tif 000010
【図５ａ】
2013525225.tif 000011
【図５ｂ】
2013525225.tif 000012
【図６ａ】
2013525225.tif 000013
【図６ｂ】
2013525225.tif 000014
【図７ａ】
2013525225.tif 000015
【図７ｂ】
2013525225.tif 000016
【図８】
2013525225.tif 000017
【図９】
2013525225.tif 000018
【図１０】
2013525225.tif 000019
【図１１】
2013525225.tif 000020
【図１２】
2013525225.tif 000021
【図１３】
2013525225.tif 000022
【図１４】
2013525225.tif 000023
【国際調査報告】
2013525225.tif 000024
2013525225.tif 000025
2013525225.tif 000026